(57)【要約】  【課題】利用者が使用し易く、かつ表示画面のスペースを有効に活用することのできる携帯型音楽再生装置を提供する。  【解決手段】音データを有する音楽に関する音楽情報を文字情報としてスクロールして表示する表示部２を有する携帯型音楽再生装置１００であって、音データの処理方法を指定する操作部３と、処理方法に基づいて、音データの処理を実行し、文字情報の表示形態を指定する制御部４とを有することで、利用者が使用し易く、かつ表示画面のスペースを有効に活用することができる。【選択図】図２
2008065960.tif 000002
【特許請求の範囲】
【請求項１】
音データを有する音楽に関する音楽情報を文字情報としてスクロールして表示する表示部を有する携帯型音楽再生装置であって、
前記音データの処理を実行するデータ処理実行部と、
前記データ処理実行部の動作状態に基づいて、所定の複数の表示形態から前記文字情報の表示形態を指定する表示形態指定部と
を有する携帯型音楽再生装置。
【請求項２】
請求項１に記載の携帯型音楽再生装置であって、
前記表示形態指定部は、
前記動作状態に基づいて、前記文字情報を提示する文字のスクロールの速度を指定する携帯型音楽再生装置。
【請求項３】
請求項１に記載の携帯型音楽再生装置であって、
前記表示形態指定部は、
前記動作状態に基づいて、前記文字情報を提示する文字の表示色を指定する携帯型音楽再生装置。
【請求項４】
請求項１に記載の携帯型音楽再生装置であって、
前記表示形態指定部は、
前記動作状態に基づいて、前記文字情報を提示する文字のスクロールの方向を指定する携帯型音楽再生装置。
【請求項５】
請求項４に記載の携帯型音楽再生装置であって、
前記表示形態指定部は、
前記データ処理実行部によって前記音楽の早戻し、逆再生およびコマ戻しのいずれかの処理が実行された場合、前記データ処理実行部によって前記音楽の再生の処理が実行された場合とは前記スクロール方向が反対方向となるように前記スクロール方向を指定する携帯型音楽再生装置。
【請求項６】
音楽のジャンルに関するジャンル情報を含む音楽情報のうち、所定の情報を文字情報として表示する表示部を有する携帯型音楽再生装置であって、
前記音楽情報に含まれる前記ジャンル情報から前記音楽のジャンルを判定するジャンル判定部と、
前記ジャンル判定部による判定結果に基づいて、前記文字情報を提示する文字の種類を指定する文字種類指定部と
を有する携帯型音楽再生装置。
【請求項７】
音データを有する音楽に関する音楽情報を文字情報として表示する表示部を有する携帯型音楽再生装置であって、
前記音データの処理を実行するデータ処理実行部と、
前記データ処理実行部によって音楽の再生処理が行われる場合の音量の大きさを示す音量値を取得する音量値取得部と、
前記音量値取得部によって取得された音量値に基づいて、前記文字情報を提示する文字の表示濃度を指定する表示濃度指定部と
を有する携帯型音楽再生装置。
【請求項８】
音データを有する音楽に関する音楽情報が文字情報としてスクロールして表示される音楽情報表示方法であって、
前記音データの処理が実行されるデータ処理実行ステップと、
前記データ処理実行ステップを実施するデータ処理実行部の動作状態に基づいて、所定の複数の表示形態から前記文字情報の表示形態が指定されるステップと
を有する音楽情報表示方法。
【請求項９】
音楽のジャンルに関するジャンル情報を含む音楽情報のうち、所定の情報が文字情報として表示される音楽情報表示方法であって、
前記音楽情報に含まれる前記ジャンル情報から前記音楽のジャンルが判定されるジャンル判定ステップと、
前記ジャンル判定ステップにおいて判定された結果に基づいて、前記文字情報を提示する文字の種類が指定されるステップと
を有する音楽情報表示方法。
【請求項１０】
音データを有する音楽に関する音楽情報が文字情報として表示される音楽情報表示方法であって、
前記音データの処理が実行されるデータ処理実行ステップと、
前記データ処理実行ステップにおいて音楽の再生処理が行われる場合の音量の大きさを示す音量値が取得される音量値取得ステップと、
前記音量値取得ステップにおいて取得された音量値に基づいて、前記文字情報を提示する文字の表示濃度が指定されるステップと
を有する音楽情報表示方法。
【発明の詳細な説明】
【技術分野】
【０００１】
本発明は、光ディスクやハードディスク、メモリカード等の記録媒体に記録された音楽データ、音楽情報を再生、表示する携帯型音楽再生装置に関する。
【背景技術】
【０００２】
近年、光ディスクやハードディスク、メモリカード等の記録媒体にディジタル形式で記録された音楽データを再生する携帯型音楽再生装置が広く普及している。この携帯型音楽再生装置には、小型の液晶ディスプレイからなる表示部が設けられ、音楽データに付随して記録媒体に記録された音楽のタイトルやジャンル、アルバムタイトル、アーティスト等の音楽情報を文字情報で表示する。これによって利用者は、再生中の音楽のタイトルやジャンル、アルバムタイトル、アーティスト等を知ることができる（例えば、特許文献１参照）。
【特許文献１】特開２００２−３０４８７３号公報
【発明の開示】
【発明が解決しようとする課題】
【０００３】
しかしながら、上記したような従来の携帯型音楽再生装置で表示部に表示される文字情報は、音楽のタイトルやジャンル、アルバムタイトル、アーティスト等の音楽情報のみであり、再生中や一時停止、早送り、早戻し等の装置の動作状態はアイコンを用いて表示している。このため、利用者は、各動作状態に対応して多くのアイコンを覚えておく必要がある。また、アイコンや文字情報を同時に表示画面へ表示する必要があり、多くの表示領域が必要となるという事情があった。さらに、表示画面のサイズの制限から、アイコンは一般的に小さくならざるを得ず、利用者にとって視認が困難であるという事情がある。
【０００４】
本発明は、上記事情に鑑みてなされたものであって、利用者が使用し易く、かつ表示画面のスペースを有効に活用することのできる携帯型音楽再生装置、音楽情報表示方法を提供することを目的とする。
【課題を解決するための手段】
【０００５】
上記目的を達成するために、本発明の第１の携帯型音楽再生装置は、音データを有する音楽に関する音楽情報を文字情報としてスクロールして表示する表示部を有する携帯型音楽再生装置であって、前記音データの処理を実行するデータ処理実行部と、前記データ処理実行部の動作状態に基づいて、所定の複数の表示形態から前記文字情報の表示形態を指定する表示形態指定部とを有する構成としている。
【０００６】
この構成により、利用者が使用し易く、かつ表示画面のスペースを有効に活用することができる。また、利用者は、再生や一時停止、停止、早送り、早戻し等の装置の動作状態を表示部に表示される文字情報の状態で表現することができるので、利用者の視認が容易になるとともに、アイコンが不要となって表示画面のスペースを有効に活用することが可能となる。
【０００７】
また、本発明の第２の携帯型音楽再生装置は、前記表示形態指定部が、前記動作状態に基づいて、前記文字情報を提示する文字のスクロールの速度を指定する構成としている。
【０００８】
この構成により、利用者は、再生や一時停止、停止、早送り、早戻し等の装置の動作状態を表示部に表示される文字のスクロール速度で容易に知ることができるので、利用者の視認が容易になるとともに、アイコンが不要となって表示画面のスペースを有効に活用することが可能となる。
【０００９】
また、本発明の第３の携帯型音楽再生装置は、前記表示形態指定部が、前記動作状態に基づいて、前記文字情報を提示する文字の表示色を指定する構成としている。
【００１０】
この構成により、利用者は、再生や一時停止、停止、早送り、早戻し等の装置の動作状態を表示部に表示される文字の表示色で容易に知ることができるので、利用者の視認が容易になるとともに、アイコンが不要となって表示画面のスペースを有効に活用することが可能となる。
【００１１】
また、本発明の第４の携帯型音楽再生装置は、前記表示形態指定部が、前記動作状態に基づいて、前記文字情報を提示する文字のスクロールの方向を指定する構成としている。
【００１２】
この構成により、利用者は、再生や一時停止、停止、早送り、早戻し等の装置の動作状態を表示部に表示される文字のスクロール方向で容易に知ることができるので、利用者の視認が容易になるとともに、アイコンが不要となって表示画面のスペースを有効に活用することが可能となる。
【００１３】
また、本発明の第５の携帯型音楽再生装置は、前記表示形態指定部が、前記データ処理実行部によって前記音楽の早戻し、逆再生およびコマ戻しのいずれかの処理を実行された場合、前記フレーム処理実行部によって前記音楽の再生の処理を実行された場合とは前記スクロール方向が反対方向となるように前記スクロール方向を指定する構成としている。
【００１４】
この構成により、利用者は、装置の動作状態のうち特に早戻し、逆再生、コマ戻し等に関して、表示部に表示される文字のスクロール方向が再生時とは逆向きであることから容易に知ることができるので、利用者の視認が容易になるとともに、アイコンが不要となって表示画面のスペースを有効に活用することが可能となる。
【００１５】
また、本発明の第６の携帯型音楽再生装置は、音楽のジャンルに関するジャンル情報を含む音楽情報のうち、所定の情報を文字情報として表示する表示部を有する携帯型音楽再生装置であって、前記音楽情報に含まれる前記ジャンル情報から前記音楽のジャンルを判定するジャンル判定部と、前記ジャンル判定部による判定結果に基づいて、前記文字情報を提示する文字の種類を指定する文字種類指定部とを有する構成としている。
【００１６】
この構成により、利用者は、再生中、或いは再生しようとしている音楽のジャンルを表示部に表示される文字の種類、つまり文字のフォントによって容易に知ることができるので、利用者の視認が容易になるとともに、アイコンが不要となって表示画面のスペースを有効に活用することが可能となる。
【００１７】
また、本発明の第７の携帯型音楽再生装置は、音データを有する音楽に関する音楽情報を文字情報として表示する表示部を有する携帯型音楽再生装置であって、前記音データの処理を実行するデータ処理実行部と、前記データ処理実行部によって音楽の再生処理が行われる場合の音量の大きさを示す音量値を取得する音量値取得部と、前記音量値取得部によって取得された音量値に基づいて、前記文字情報を提示する文字の表示濃度を指定する表示濃度指定部とを有する構成としている。
【００１８】
この構成により、再生中、或いは再生しようとしている音楽の音量を表示部に表示される文字の表示濃度で容易に知ることができるので、利用者の視認が容易になるとともに、アイコンが不要となって表示画面のスペースを有効に活用することが可能となる。
【００１９】
また、本発明の第１の音楽情報表示方法は、音データを有する音楽に関する音楽情報が文字情報としてスクロールして表示される音楽情報表示方法であって、前記音データの処理が実行されるデータ処理実行ステップと、前記データ処理実行ステップを実施するデータ処理部の動作状態に基づいて、所定の複数の表示形態から前記文字情報の表示形態が指定されるステップとを有する方法としている。
【００２０】
この方法により、利用者が使用し易く、かつ表示画面のスペースを有効に活用することができる。また、利用者は、再生や一時停止、停止、早送り、早戻し等の装置の動作状態を表示部に表示される文字情報の状態で表現することができるので、利用者の視認が容易になるとともに、アイコンが不要となって表示画面のスペースを有効に活用することが可能となる。
【００２１】
また、本発明の第２の音楽情報表示方法は、音楽のジャンルに関するジャンル情報を含む音楽情報のうち、所定の情報が文字情報として表示される音楽情報表示方法であって、前記音楽情報に含まれる前記ジャンル情報から前記音楽のジャンルが判定されるジャンル判定ステップと、前記ジャンル判定ステップにおいて判定された結果に基づいて、前記文字情報を提示する文字の種類が指定されるステップとを有する方法としている。
【００２２】
この方法により、利用者は、再生中、或いは再生しようとしている音楽のジャンルを表示部に表示される文字の種類、つまり文字のフォントによって容易に知ることができるので、利用者の視認が容易になるとともに、アイコンが不要となって表示画面のスペースを有効に活用することが可能となる。
【００２３】
また、本発明の第３の音楽情報表示方法は、音データを有する音楽に関する音楽情報が文字情報として表示される音楽情報表示方法であって、前記音データの処理が実行されるデータ処理実行ステップと、前記データ処理実行ステップにおいて音楽の再生処理が行われる場合の音量の大きさを示す音量値が取得される音量値取得ステップと、前記音量値取得ステップにおいて取得された音量値に基づいて、前記文字情報を提示する文字の表示濃度が指定されるステップとを有する方法としている。
【００２４】
この方法により、再生中、或いは再生しようとしている音楽の音量を表示部に表示される文字の表示濃度で容易に知ることができるので、利用者の視認が容易になるとともに、アイコンが不要となって表示画面のスペースを有効に活用することが可能となる。
【発明の効果】
【００２５】
本発明によれば、利用者が使用し易く、かつ表示画面のスペースを有効に活用することのできる携帯型音楽再生装置および音楽情報表示方法を提供することができる。
【発明を実施するための最良の形態】
【００２６】
以下、本発明の実施形態に係る携帯型音楽再生装置について説明する。図１は、本発明の実施形態に係る携帯型音楽再生装置１００の全体的な概略構成を示す図である。
【００２７】
図１において、携帯型音楽再生装置１００は、光ディスクや磁気ディスク、半導体メモリ等の記録媒体に記録された音楽データ及び音楽情報を含む信号を読み取るとともに、読み取った信号を音声信号に変換して出力する再生部１、装置の動作状況や、再生部１で読み取った音楽情報の信号に基づいて、再生する音楽のタイトルやアルバムタイトル、アーティスト等を文字情報で表示する表示部２、利用者が音楽の再生に際して装置を起動したり、操作を入力するための電源スイッチ、再生キー、一時停止キー、停止キー、早送りキー、早戻しキー、再生音量を調節するボリューム等からなる操作部３、再生部１における再生動作の制御、表示部２の表示制御、及び操作部４のキー操作を検出する等、装置の動作を統括管理する制御部４を有する構成である。
【００２８】
ここで、再生部１はデータ処理実行部の一例である。また、制御部４の一部は表示形態指定部の一例である。
【００２９】
表示部２は、例えば、図３に示すように、ドットマトリクス方式の液晶ディスプレイによって所定桁数の文字表示が可能とされるように構成され、装置の動作状況、再生する音楽のタイトルやアルバムタイトル、アーティスト等の音楽情報を順次スクロールしながら表示する。スクロールの方法は、装置の動作状況などにより変更することが可能である。図３は本発明の実施形態における表示部２による文字表示例を示した図である。尚、スクロールの速度や方向、文字表示色などの詳細に関しては後述する。
【００３０】
制御部４は、マイクロコンピュータによって構成され、ソフトウエアにより再生等の装置動作時における各部の動作を制御するとともに、表示部２における文字情報の表示制御を行う。以下、制御部４の機能および動作について詳細に説明する。図２は、本発明の実施形態における携帯型音楽再生装置１００の制御部４の機能的な構成を示すブロック図である。
【００３１】
図２に示すとおり、制御部４は、装置起動部４１、音楽情報取得部４２、文字フォント制御部４３、音量値取得部４４、キー操作情報取得部４５、動作状態判定部４６、文字色制御部４７、スクロール速度制御部４８、および
スクロール方向制御部４９を有する。
【００３２】
ここで、音楽情報取得部４２の一部はジャンル判定部の一例である。また、文字フォント制御部４３は文字種類指定部の一例である。また、音量値取得部４４は音量値取得部の一例である。また、文字色制御部４７は表示濃度指定部の一例である。
【００３３】
装置起動部４１は、利用者による操作部３の電源スイッチの操作によって装置を起動制御する。音楽情報取得部４２は、再生部１から再生する音楽のタイトルやジャンル、アルバムタイトル、アーティスト等の音楽情報を取得する。文字フォント制御部４３は、取得した音楽情報に応じて、表示部２で表示する文字情報のフォントを制御する。
【００３４】
音量値取得部４４は、利用者が操作部３のボリュームを調整することにより得られた音量値を取得する。キー操作情報取得部４５は、音楽の再生に際し、利用者によって再生キー、一時停止キー、停止キー、早送りキー、早戻しキー等のキーが操作されたことの情報（キー操作情報とも呼ぶ）を取得する。動作状態判定部４６は、取得したキー操作情報に応じて再生部１の動作状態を判定する。
【００３５】
文字色制御部４７は、音量値及び動作状態に応じて表示部２に表示する文字情報の表示色を制御する。スクロール速度制御部４８は、動作状態に応じて表示部２に表示する文字情報のスクロール速度を制御する。スクロール方向制御部４９は、動作状態に応じて表示部２に表示する文字情報のスクロール方向を制御する。
【００３６】
次に、再生部１の各動作状態における音楽データの処理について説明する。図１０は本発明の実施形態における音楽データの概略図である。本実施形態における音楽データはＭＰＥＧ−４（Ｍｏｖｉｎｇ  Ｐｅｃｔｕｒｅ  Ｅｘｐｅｒｔｓ  Ｇｒｏｕｐ  ｐｈａｓｅ  ４）などを想定している。図１０に示すように、恩実施形態における音楽データには一定の間隔でアクセスポイントが存在している。
【００３７】
操作部３による操作によって早送りが指示された場合は、あるアクセスポイントから鳴動期間だけ鳴動して次のアクセスポイントに移動する。鳴動期間は再生部１が音飛びのような音を発する期間であり、例えば２５０ｍｓなどのある一定の期間である。同様に、早戻しが指示された場合は、あるアクセスポイントから鳴動期間だけ鳴動して前のアクセスポイントに移動する。
【００３８】
コマ送りを行う前の操作指示を行わない状態においては、あるアクセスポイントにおいて音楽データの処理を停止した一時停止の状態であるが、操作部３による操作によってコマ送りが指示された場合は、あるアクセスポイントから次のアクセスポイントへ移動し、再度一時停止状態となる。同様に、コマ戻しが指示された場合は、あるアクセスポイントから前のアクセスポイントへ移動し、再度一時停止状態となる。
【００３９】
操作部３による操作によって再生が指示された場合は、アクセスポイントの存在を意識することなく、図１０において音データの左から右へ順次音楽データの処理を行う。同様に、逆再生が指示された場合は、図１０において音データの右から左へ順次音楽データの処理を行う。
【００４０】
次に、以上のように構成された携帯型音楽再生装置１００の動作について説明する。始めに、携帯型音楽再生装置１００の起動時の動作手順について説明する。図４は、本発明の実施形態における携帯型音楽再生装置１００の起動時の動作手順を説明するためのフローチャートである。
【００４１】
まず、利用者によって操作部３の電源スイッチが操作され、制御部４の装置起動部４１により装置が起動されると、音楽情報取得部４２により再生部１から音楽情報を取得し（ステップＳ１０１）、取得した音楽情報から音楽ジャンルを判定する（ステップＳ１０２）。
【００４２】
ステップＳ１０２の処理手順で、音楽ジャンルが例えば「クラシック」であると判定されると、文字フォント制御部４３は、表示部２で表示する音楽のタイトルやアルバムタイトル、アーティスト等をフォント種別Ａ、例えば、明朝体で表示するように制御する（ステップＳ１０３）。
【００４３】
同様に、ステップＳ１０２において、取得した音楽ジャンルが「Ｊ−ＰＯＰ」であると判定された場合は、フォント種別Ｂ、例えば、ゴシック体を用いて音楽のタイトルやアルバムタイトル、アーティスト等を表示する（ステップＳ１０４）。
【００４４】
また、取得した音楽ジャンルが「演歌」であった場合は、図５に示すように、タイトル「川の流れのように」をフォント種別Ｃ、例えば楷書体で表示する（ステップＳ１０５）。図５は本発明の実施形態における音楽ジャンルが演歌の場合の表示例を示した図である。
【００４５】
以下、同様に、取得した音楽ジャンルが「ロック」である場合は、フォント種別Ｄ、例えば、丸ゴシック体を用いて音楽のタイトルやアルバムタイトル、アーティスト等を表示する（ステップＳ１０６）。
【００４６】
次に、制御部４によって後述する音量制御サブルーチンを実行する（ステップＳ１０７）。その後、制御部４は利用者の操作により、再生キー、一時停止キー、停止キー、早送りキー、早戻しキー等の再生に関わるキー操作がなされたか否かを判定し（ステップＳ１０８）、キー操作がなされている場合は、制御部４は後述するキー操作サブルーチンを実行する（ステップＳ１０９）。
【００４７】
ステップＳ１０８の処理手順で制御部４によりキー操作がなされていないと判定された場合、及びステップＳ１０９の処理手順でキー操作サブルーチンが実行された後は、制御部４は装置が起動中であるか否かを判定する（ステップＳ１１０）。
【００４８】
判定の結果、装置が起動中であると判定された場合は、ステップＳ１０８の処理手順に戻り、以降の処理が行われる。
【００４９】
一方、ステップＳ１１０の処理手順で装置が起動中でないと判定された場合は、装置起動の処理が終了される。
【００５０】
このように、表示部２で表示する音楽のタイトルやアルバムタイトル、アーティスト等を音楽ジャンルに応じて異なるフォントで表示することにより、利用者は再生する音楽のジャンルを直感的に認識することができる。
【００５１】
次に、本実施形態に係る携帯型音楽再生装置１００の前述したキー操作サブルーチン動作手順について説明する。図６は、本発明の実施形態におけるキー操作に関する動作フロー図である。
【００５２】
まず、制御部４のキー操作情報取得部１５は、利用者によるキー操作がなされたことを示すキー操作情報を取得し（ステップＳ２０１）、取得したキー操作情報に基づいて制御部４はキー操作の種類を判定する（ステップＳ２０２）。
【００５３】
ステップＳ２０２における判定の結果で、操作部３によるキー操作が再生操作であると判定された場合は、ステップＳ２０３において、動作状態判定部１６は装置の動作状態を判定する（ステップＳ２０３）。尚、ここでの再生操作とは、再生、逆再生、停止、一時停止、早送り、早戻し、コマ送り、コマ戻しなどの操作を含むものである。
【００５４】
ステップＳ２０３における判定の結果、装置の動作状態が「再生」状態である場合、例えば文字色制御部４７は表示部２に表示する音楽のタイトルやアルバムタイトル、アーティスト等の文字情報の表示色を文字表示色Ａとし、スクロール速度制御部４８は文字情報のスクロール方向を右から左へとし、スクロール方向制御部４９は文字情報を通常の速度で順次スクロールして表示する（ステップＳ２０４、Ｓ２０５）。
【００５５】
また、ステップＳ２０３において再生動作が停止している状態、つまり装置の動作状態が「停止」状態であると判定された場合は、スクロール速度制御部４８がスクロールを停止する（ステップＳ２０６）と共に、文字色制御部４７が音楽のタイトルやアルバムタイトル、アーティスト等の文字表示色をＢ色に変更する（ステップＳ２０７）。
【００５６】
さらに、ステップＳ２０３において装置の動作状態が「一時停止」状態であると判定された場合は、スクロール速度制御部４８がスクロールを停止する（ステップＳ２０８）と共に、文字色制御部４７が音楽のタイトルやアルバムタイトル、アーティスト等の文字表示色をＡ色に変更する（ステップＳ２０９）。
【００５７】
また、ステップＳ２０３において装置の動作状態が「早送り」状態の場合は、文字色制御部４７は音楽のタイトルやアルバムタイトル、アーティスト等の文字表示色をＡ色とし、スクロール方向制御部４９はスクロール方向を右から左へとし、スクロール速度制御部４８は２倍速の文字スクロールを行う（ステップＳ２１０、Ｓ２１１）。なお、２倍速のスクロールとは、音楽のタイトルやアルバムタイトル、アーティスト等の文字を通常の２倍の速度で順次スクロールすることをいう。
【００５８】
また、ステップＳ２０３において装置の動作状態が曲のプレーバックや頭出し等のための「早戻し」状態であると判定された場合は、文字色制御部４７は音楽のタイトルやアルバムタイトル、アーティスト等の文字表示色をＡ色とし、スクロール方向制御部４９は文字スクロールの方向を右から左へとし、スクロール速度制御部４８は文字スクロールを２倍速で行う（ステップＳ２１２、Ｓ２１３）。図７（ａ）〜（ｌ）は、例えばタイトル「Ｔｕｒａｎｄｏｔ」を左から右へ２倍速で順次スクロールして表示する場合の例、つまり本発明の実施形態における早戻しを行う際の文字表示の状態遷移を示した図である。
【００５９】
つまり、状態（ａ）では表示部２には文字情報が何も表示されていないが、状態（ｂ）では「ｔ」、状態（ｃ）では「ｄｏｔ」、状態（ｄ）では「ａｎｄｏｔ」、状態（ｅ）では「ｕｒａｎｄｏｔ」、状態（ｆ）では「  Ｔｕｒａｎｄｏｔ」、状態（ｇ）では「      Ｔｕｒａｎｄｏｔ」、状態（ｈ）では「ｔ        Ｔｕｒａｎｄｏ」、状態（ｉ）では「ｄｏｔ        Ｔｕｒａｎ」、状態（ｊ）では「ａｎｄｏｔ        Ｔｕｒ」、状態（ｋ）では「ｕｒａｎｄｏｔ        Ｔ」、状態（ｌ）では「  Ｔｕｒａｎｄｏｔ      」となり、２文字ずつ左から右へスクロールされていることが確認できる。尚、状態（ａ）〜状態（ｈ）における表示部２の右側空白部分の表記はここでは省略しており、状態（ｆ）と状態（ｌ）とは同一の表示を示している。状態（ｌ）以降の表示に関しては、状態（ｇ）〜状態（ｌ）を繰り返す。
【００６０】
また、ステップＳ２０３において装置の動作状態が「コマ送り」や「コマ戻し」状態であると判定された場合、図示はしないが、文字色制御部４７は音楽のタイトルやアルバムタイトル、アーティスト等の文字表示色をＡ色とし、スクロール速度制御部４８は文字スクロールを通常の速度の２分の１の速度でスクロールを行う。ここではスクロール速度を通常速度の２分の１としたが、通常の速度よりもスクロール速度が遅ければ、これ以外の速度でもよい。また、スクロール方向制御部４９は、「コマ送り」の場合は文字スクロールの方向を右から左へとし、「コマ戻し」の場合は文字スクロールの方向を左から右へと指定する。
【００６１】
一方、ステップＳ２０２の処理手順において、利用者によって行われた操作の種類が音量操作であると制御部４が判定した場合は、音量制御サブルーチンを実行し、その後に処理が終了される（ステップＳ２１４）。
【００６２】
このように、表示部２で音楽のタイトルやアルバムタイトル、アーティスト等を表示する際に、利用者のキー操作による装置の動作状態に応じてスクロール速度、スクロール方向および文字の表示色を変更することにより、利用者は再生する装置の動作状態を直感的に認識することができる。また、装置の動作状態を表示するための従来のアイコンが不要となり、表示画面のスペースを有効に活用することが可能となる。
【００６３】
次に、本実施形態に係る携帯型音楽再生装置の音量制御サブルーチンの動作手順について説明する。図８は、本発明の実施形態における音量制御に関する動作手順を説明するためのフローチャートである。
【００６４】
まず、キー操作情報取得部４５は、利用者によって再生音量を調整するためのボリュームを含むキーの操作がなされたことを示すキー操作情報を取得し（ステップＳ３０１）、音量値取得部４４は取得したキー操作情報の中から音量値情報を取得する（ステップＳ３０２）。ここで、音量値情報はキー操作情報に含まれている情報であり、音量の大小を示す情報である。
【００６５】
次いで、制御部４は、取得した音量値情報から利用者によって調整された再生音量値を判定する（ステップＳ３０３）。そして、判定の結果、再生音量が“０”の状態にある場合は、文字色制御部４７は表示部２に背景色を付し、音楽のタイトルやアルバムタイトル、アーティスト等の文字情報を反転表示する（ステップＳ３０４）。
【００６６】
ここで、図９は本発明の実施形態における音量レベルに応じた文字情報の文字表示例を示した図である。図９（ａ）は音量レベル０の場合の文字表示の例である。尚、図９では一例として音楽のタイトル「ＡＢＣ」の文字表示部分を示しているが、表示画面としては基本的には図３や図５のような表示画面を想定している。文字の濃淡に関しては、ここではドット量が多いか少ないかにより示している。また、音楽のタイトル以外のアルバムタイトル、アーティスト等の文字情報の表示に関しても、上記と同様である。
【００６７】
また、ステップＳ３０３で再生音量値がレベル１〜５にあると制御部４が判定した場合は、文字色制御部４７は音楽のタイトルやアルバムタイトル、アーティスト等の表示部２における表示文字の濃淡をやや淡い濃淡種別Ａに設定する（ステップＳ３０５）。図９（ｂ）は音量レベル１〜５の場合の文字表示の例である。
【００６８】
さらに、ステップＳ３０３で再生音量値がレベル６〜１０にあると制御部４が判定した場合は、文字色制御部４７は音楽のタイトルやアルバムタイトル、アーティスト等の表示部２における表示文字の濃淡を種別Ａより濃い濃淡種別Ｂに設定する（ステップＳ３０６）。図９（ｃ）は音量レベル１〜５の場合の文字表示の例である。
【００６９】
また、ステップＳ３０３で再生音量値が最大のレベルにあると制御部４が判定した場合は、音楽のタイトルやアルバムタイトル、アーティスト等の表示部２における表示文字の濃淡を最大の濃度、つまり最も濃い濃淡種別Ｃに設定する（ステップＳ３０７）。図９（ｄ）は音量レベル１〜５の場合の文字表示の例である。
【００７０】
尚、音量値は音量レベルが上記に示した以外のレベルが存在してもよく、例えば音量レベル１２のときに文字表示の濃淡種別Ｄに設定するようにしてもよい。
【００７１】
このように、利用者がキー操作によって調節した再生音量に応じて、表示部２で表示する音楽のタイトルやアルバムタイトル、アーティスト等の表示文字の濃淡を変更することにより、利用者は再生中の音楽の再生音量レベルを直感的に認識することができる。また、再生音量を表示するための従来のアイコンが不要となり、表示画面のスペースを有効に活用することが可能となる。
【００７２】
このような本発明の実施形態に係る携帯型音楽再生装置１００によれば、音データを有する音楽に関する音楽情報を文字情報としてスクロールして表示する表示部２を有する携帯型音楽再生装置１００であって、音データの処理方法を指定する操作部３と、処理方法に基づいて、音データの処理を実行し、文字情報の表示形態を指定する制御部４とを有することで、利用者が使用し易く、かつ表示画面のスペースを有効に活用することができる。
【００７３】
また、再生する音楽の音楽情報を取得し、取得した音楽情報に基づいて音楽ジャンルを判定し、そして、表示部２に表示する音楽のタイトルやアルバムタイトル、アーティスト等の文字を音楽ジャンル毎に異なるフォントで表示する。これにより、利用者は再生中の音楽情報を直感的に認識することができる。
【００７４】
また、利用者によってなされたキー操作に基づいて、再生、停止、一時停止、早送り及び早戻し等の装置の動作状態を判定し、装置の動作状態に応じて表示部２に表示する音楽のタイトルやアルバムタイトル、アーティスト等の文字のスクロール速度、スクロール方向、文字表示色を制御して表示する。これにより、小型の表示部を備えた携帯型音楽再生装置であっても、アイコンを用いることなく装置の動作状態を表示することができるので、表示画面のスペースを有効に活用することが可能となる。
【００７５】
さらに、利用者がキー操作によって調節した再生音量に基づいて、表示部２に表示する音楽のタイトルやアルバムタイトル、アーティスト等の文字の濃淡を変更する。これにより、利用者は再生中の音楽の音量を直感的に認識することができるとともに、アイコンを用いることなく再生音量を表示することが可能となるので、表示画面のスペースを有効に活用することができる。
【産業上の利用可能性】
【００７６】
本発明は、利用者が使用し易く、かつ表示画面のスペースを有効に活用することのできる携帯型音楽再生装置等に有用である。
【図面の簡単な説明】
【００７７】
【図１】本発明の実施形態における携帯型音楽再生装置の全体的な概略構成を示す図
【図２】本発明の実施形態における携帯型音楽再生装置の制御部の機能的な構成を示すブロック図
【図３】本発明の実施形態における表示部による文字表示例を示した図
【図４】本発明の実施形態に係る携帯型音楽再生装置の起動時の動作手順を説明するためのフローチャート
【図５】本発明の実施形態に係る携帯型音楽再生装置において、演歌「川の流れのように」を再生した場合の表示例を示す図
【図６】本発明の実施形態におけるキー操作に関する動作フロー図
【図７】本発明の実施形態における早戻しを行う際の文字表示の状態遷移を示した図
【図８】本発明の実施形態における音量制御に関する動作フロー図
【図９】本発明の実施形態における音量レベルに応じた文字情報の文字表示例を示した図
【図１０】本発明の実施形態における音楽データの概略図
【符号の説明】
【００７８】
１００  携帯型音楽再生装置
１  再生部
２  表示部
３  操作部
４  制御部
４１  装置起動部
４２  音楽情報取得部
４３  文字フォント制御部
４４  音量値取得部
４５  キー操作情報取得部
４６  動作状態判定部
４７  文字表示色制御部
４８  スクロール速度制御部
４９  スクロール方向制御部
【図１】
2008065960.tif 000003
【図２】
2008065960.tif 000004
【図３】
2008065960.tif 000005
【図４】
2008065960.tif 000006
【図５】
2008065960.tif 000007
【図６】
2008065960.tif 000008
【図７】
2008065960.tif 000009
【図８】
2008065960.tif 000010
【図９】
2008065960.tif 000011
【図１０】
2008065960.tif 000012